(57)【要約】【課題】ユーザの活動を継続しようという意識を高めることが可能な技術が提供されることが望ましい。【解決手段】ユーザの活動情報または前記活動情報の解析結果に基づいて前記ユーザに提供されるインセンティブを決定する決定部と、前記ユーザへの前記インセンティブを提供する提供部と、を備える、情報処理装置が提供される。【選択図】図１
2019171651.tif 000002
【特許請求の範囲】
【請求項１】
ユーザの活動情報または前記活動情報の解析結果に基づいて前記ユーザに提供されるインセンティブを決定する決定部と、
前記ユーザに前記インセンティブを提供する提供部と、
を備える、情報処理装置。
【請求項２】
前記決定部は、前記インセンティブとして前記ユーザに提供される報酬値を決定する、
請求項１に記載の情報処理装置。
【請求項３】
前記報酬値は、電子マネーのポイントである、
請求項２に記載の情報処理装置。
【請求項４】
前記報酬値は、現金金額である、
請求項２に記載の情報処理装置。
【請求項５】
前記提供部は、前記報酬値に基づいて前記ユーザが有する残高を更新することによって前記インセンティブを提供する、
請求項２に記載の情報処理装置。
【請求項６】
前記決定部は、前記インセンティブとして前記ユーザに提供される商品の種類またはサービスの種類を決定する、
請求項１に記載の情報処理装置。
【請求項７】
前記提供部は、前記商品の種類または前記サービスの種類と前記ユーザとを関連付けることによって前記インセンティブを提供する、
請求項６に記載の情報処理装置。
【請求項８】
前記解析結果は、現在の健康状態または前記活動情報から予測される未来の健康状態である、
請求項１に記載の情報処理装置。
【請求項９】
前記決定部は、前記活動情報または前記解析結果が閾値を超える場合に、前記インセンティブを決定する、
請求項１に記載の情報処理装置。
【請求項１０】
前記活動情報は、ユーザの歩数、睡眠時間および食事時間の少なくともいずれか一つを含む、
請求項１に記載の情報処理装置。
【請求項１１】
ユーザの活動情報を取得する取得部と、
前記活動情報を解析することによって解析結果を得る解析部と、を備え、
前記解析結果に基づいて、前記ユーザに提供されるインセンティブが決定され、前記ユーザに前記インセンティブが提供される、
解析装置。
【請求項１２】
ユーザの活動情報を計測するユーザ端末と、
ユーザの活動情報を取得する取得部と、
前記活動情報を解析することによって解析結果を得る解析部と、
前記活動情報または前記解析結果に基づいて前記ユーザに提供されるインセンティブを決定する決定部と、
前記ユーザに前記インセンティブを提供する提供部と、
を備える、サーバと、
を有する、情報処理システム。
【発明の詳細な説明】
【技術分野】
【０００１】
本開示は、情報処理装置、解析装置および情報処理システムに関する。
【背景技術】
【０００２】
近年、ユーザの健康維持などのためにユーザの活動情報を記録する技術が知られている。例えば、ユーザの活動情報を記録し、活動情報に基づく身体状況をユーザに提示する技術が開示されている（例えば、特許文献１参照）。かかる技術によれば、ユーザは健康維持のためにどの程度の活動が必要であるかを把握することが可能となる。
【先行技術文献】
【特許文献】
【０００３】
【特許文献１】特開２０１６−２４６６９号公報
【発明の概要】
【発明が解決しようとする課題】
【０００４】
しかし、ユーザは健康維持のためにどの程度の活動が必要であるかを把握することができたとしても、必要な活動を継続するのが困難な場合がある。例えば、ユーザの活動状況に基づく身体状況をユーザに提示したとしても、ユーザの活動を継続しようという意識を十分に高めることができない場合がある。そこで、ユーザの活動を継続しようという意識を高めることが可能な技術が提供されることが望ましい。
【課題を解決するための手段】
【０００５】
本開示によれば、ユーザの活動情報または前記活動情報の解析結果に基づいて前記ユーザに提供されるインセンティブを決定する決定部と、前記ユーザに前記インセンティブを提供する提供部と、を備える、情報処理装置が提供される。【０００６】
本開示によれば、ユーザの活動情報を取得する取得部と、前記活動情報を解析することによって解析結果を得る解析部と、を備え、前記解析結果に基づいて、前記ユーザに提供されるインセンティブが決定され、前記ユーザに前記インセンティブが提供される、解析装置が提供される。【０００７】
本開示によれば、ユーザの活動情報を計測するユーザ端末と、ユーザの活動情報を取得する取得部と、前記活動情報を解析することによって解析結果を得る解析部と、前記活動情報または前記解析結果に基づいて前記ユーザに提供されるインセンティブを決定する決定部と、前記ユーザに前記インセンティブを提供する提供部と、を備える、サーバと、
を有する、情報処理システムが提供される。
【発明の効果】
【０００８】
以上説明したように本開示によれば、ユーザの活動を継続しようという意識を高めることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【０００９】
【図１】本開示の実施形態に係る情報処理システムの構成例を示す図である。
【図２】本開示の実施形態に係るユーザ端末の外観例を示す図である。
【図３】バンド部の外観例を示す図である。
【図４】コア部の外観例を示す図である。
【図５】本開示の実施形態に係るユーザ端末の機能構成例を示す図である。
【図６】本開示の実施形態に係る通信端末の機能構成例を示す図である。
【図７】本開示の実施形態に係るデータ取得サーバの機能構成例を示す図である。
【図８】データ取得サーバの記憶部によって記憶されているデータの構成例を示す図である。
【図９】本開示の実施形態に係るデータ更新サーバの機能構成例を示す図である。
【図１０】データ更新サーバの記憶部によって記憶されているデータの構成例を示す図である。
【図１１】本開示の実施形態に係る情報処理システムによる機能詳細を説明するための図である。
【図１２】本開示の実施形態に係る情報処理システムによる機能詳細を説明するための図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
また、本明細書および図面において、実質的に同一または類似の機能構成を有する複数の構成要素を、同一の符号の後に異なる数字を付して区別する場合がある。ただし、実質的に同一または類似の機能構成を有する複数の構成要素の各々を特に区別する必要がない場合、同一符号のみを付する。また、異なる実施形態の類似する構成要素については、同一の符号の後に異なるアルファベットを付して区別する場合がある。ただし、類似する構成要素の各々を特に区別する必要がない場合、同一符号のみを付する。
【００１２】
なお、説明は以下の順序で行うものとする。
０．概要
１．実施形態の詳細
１．１．システム構成例
１．２．ユーザ端末の各部の構成例
１．３．ユーザ端末の機能構成例
１．４．通信端末の機能構成例
１．５．データ取得サーバの機能構成例
１．６．データ更新サーバの機能構成例
１．７．情報処理システムの機能詳細
２．むすび
【００１３】
＜０．概要＞
近年、ユーザの健康維持などのためにユーザの活動情報を記録する技術が知られている。例えば、ユーザの活動情報を記録し、活動情報に基づく身体状況をユーザに提示する技術が開示されている。かかる技術によれば、ユーザは健康維持のためにどの程度の活動が必要であるかを把握することが可能となる。しかし、ユーザは健康維持のためにどの程度の活動が必要であるかを把握することができたとしても、必要な活動を継続するのが困難な場合がある。例えば、ユーザの活動状況に基づく身体状況をユーザに提示したとしても、ユーザの活動を継続しようという意識を十分に高めることができない場合がある。そこで、本明細書においては、ユーザの活動を継続しようという意識を高めることが可能な技術について主に説明する。
【００１４】
以上、本開示の実施形態の概要について説明した。
【００１５】
＜１．実施形態の詳細＞
続いて、本開示の実施形態の詳細について説明する。
【００１６】
［１．１．システム構成例］
図１は、本開示の実施形態に係る情報処理システムの構成例を示す図である。図１に示されるように、情報処理システム１は、ユーザ端末１０（情報処理装置）と、通信端末２０と、サーバ５０と、ＰＯＳ（Ｐｏｉｎｔ  Ｏｆ  Ｓａｌｅｓ）端末６０と、カード読み取り装置７０とを有している。また、本開示の実施形態においては、サーバ５０が、データ取得サーバ３０（解析装置）とデータ更新サーバ４０（情報処理装置）とに分離されている場合を主に想定する。しかし、サーバ５０は、データ取得サーバ３０とデータ更新サーバ４０とに分離されておらず、一体として構成されていてもよい。
【００１７】
通信端末２０、データ取得サーバ３０、データ更新サーバ４０およびＰＯＳ端末６０は、ネットワーク８０に接続されており、ネットワーク８０を介して相互に通信可能に構成されている。後に詳細に説明するように、ユーザ端末１０は、コア部１１０とバンド部１６０とを有している。コア部１１０は、近距離無線通信により通信端末２０と通信可能である。また、バンド部１６０は、ＩＣ（Ｉｎｔｅｇｒａｔｅｄ  Ｃｉｒｃｕｉｔ）チップ１６１を有しており、ＩＣチップ１６１は、非接触無線通信によりアンテナを介して通信端末２０と通信可能である。ＰＯＳ端末６０は、カード読み取り装置７０と有線または無線により接続されている。
【００１８】
以上、本開示の実施形態に係る情報処理システム１の構成例について説明した。
【００１９】
［１．２．ユーザ端末の各部の構成例］
続いて、本開示の実施形態に係るユーザ端末１０の各部の構成例について説明する。図２は、本開示の実施形態に係るユーザ端末１０の外観例を示す図である。図２に示されたように、コア部１１０はバンド部１６０に取り付けられ得る。すなわち、ユーザ端末１０は、コア部１１０とバンド部１６０とが結合された状態をとり得る。そして、バンド部１６０は、ユーザの腕部に装着することが可能に構成されている。
【００２０】
コア部１１０とバンド部１６０とが結合された状態でバンド部１６０がユーザの腕部に装着されていれば、ユーザは、コア部１１０を手に持たずしてコア部１１０を持ち運ぶことが可能となる。このようにコア部１１０とバンド部１６０とが結合された状態をとり得る利点については、後にも説明する。また、コア部１１０は、表示部１１５、アラーム機能ボタン１１２ａ、食事／ＢＴ（Ｂｌｕｅｔｏｏｔｈ（登録商標））ボタン１１２ｂおよび電源ボタン１１２ｃを有している。
【００２１】
コア部１１０は、活動情報を記録することができる。本開示の実施形態においては、活動情報が、ユーザの歩数、睡眠時間および食事時間を含む場合を想定する。しかし、活動情報は、ユーザの歩数、睡眠時間および食事時間のすべてを含む必要はなく、ユーザの歩数、睡眠時間および食事時間の少なくともいずれか一つを含んでもよい。
【００２２】
ユーザの歩数は、加速度センサによって検出される加速度に基づいて記録され得る。また、睡眠時間も、加速度に基づいて記録され得る。すなわち、ユーザの就寝時刻と起床時刻とが加速度に基づいて検出され得るため、これら二つの時刻が睡眠時間として記録され得る。したがって、コア部１１０とバンド部１６０とが結合された状態でバンド部１６０がユーザの腕部に装着されていれば、歩数および睡眠時間が自動的に取得され得る。
【００２３】
一方、食事時間は、ユーザによる所定の操作に基づいて記録され得る。例えば、ユーザによって食事／ＢＴボタン１１２ｂに対して所定の操作（例えば、２度押し）がなされた場合に、所定の操作がなされた時刻が食事時間として記録され得る。なお、食事／ＢＴボタン１１２ｂに対して所定の操作（例えば、２度押し）がなされた場合には、表示部１１５が所定の色（例えば、オレンジ色など）で光ってもよい。
【００２４】
その他、本開示の実施形態においては、ユーザ端末１０が防水機能を有している場合を想定する。かかる場合には、ユーザは、ユーザ端末１０を装着したまま、お風呂に入ったりプールで泳いだりしても、ユーザ端末１０の故障を免れることが可能である。また、コア部１１０は、交換可能な電池を内蔵しており、交換可能な電池から提供される電力によって動作する。これによって、電池への充電を不要とすることができる。
【００２５】
また、電源ボタン１１２ｃに対しては、ユーザによって長押し操作（例えば、数秒押し続ける操作など）がなされることによって、電源のｏｎ／ｏｆｆが切り替えられる。また、食事／ＢＴボタン１１２ｂに対しても、長押し操作（例えば、数秒押し続ける操作など）がなされることによって、近距離無線通信用のビーコンの電波を発信することが可能である。アラーム機能ボタン１１２ａに対しては、長押し操作（例えば、数秒押し続ける操作）がなされることによって、アラームのｏｎ／ｏｆｆが切り替えられる。
【００２６】
図３は、バンド部１６０の外観例を示す図である。図３に示されたように、バンド部１６０は、コア部１１０とは分離された状態をとり得る。バンド部１６０からコア部１１０が分離された状態でバンド部１６０だけがユーザの腕部に装着されていれば、ユーザは、コア部１１０を持ち運ばずにバンド部１６０だけを持ち運ぶことが可能である。図４は、コア部１１０の外観例を示す図である。図４に示されたように、コア部１１０は、バンド部１６０とは分離された状態をとり得る。
【００２７】
以上、本開示の実施形態に係るユーザ端末１０の各部の構成例について説明した。
【００２８】
［１．３．ユーザ端末の機能構成例］
続いて、本開示の実施形態に係るユーザ端末１０の機能構成例について説明する。図５は、本開示の実施形態に係るユーザ端末１０の機能構成例を示す図である。図５に示されたように、本開示の実施形態に係るユーザ端末１０は、コア部１１０およびバンド部１６０を有している。
【００２９】
図５に示されるように、コア部１１０は、センサ部１１１、操作部１１２、制御部１１３、記憶部１１４、表示部１１５および通信部１１６およびを有している。以下では、コア部１１０が有するこれらのブロックについて説明する。
【００３０】
センサ部１１１は、各種のセンサを有しており、センサによるセンシングにより各種のセンサデータを取得することが可能である。本開示の実施形態においては、センサ部１１１が、加速度センサを有する例を主に説明する。しかし、センサ部１１１が有するセンサの種類は限定されない。なお、加速度センサによって取得された加速度は、ユーザの歩数および睡眠時間を計測するために用いられ得る。
【００３１】
操作部１１２は、各種の入力装置を有しており、入力装置によってユーザから入力される操作を取得することが可能である。上記したように、本開示の実施形態においては、操作部１１２が、アラーム機能ボタン１１２ａ、食事／ＢＴボタン１１２ｂおよび電源ボタン１１２ｃを有する例を主に説明する。しかし、操作部１１２が有する入力装置の種類は限定されない。
【００３２】
制御部１１３は、コア部１１０の各部の制御を実行する。なお、制御部１１３は、例えば、ＣＰＵ（Ｃｅｎｔｒａｌ  Ｐｒｏｃｅｓｓｉｎｇ  Ｕｎｉｔ；中央演算処理装置）などで構成されていてよい。制御部１１３がＣＰＵなどといった処理装置によって構成される場合、かかる処理装置は、電子回路によって構成されてよい。
【００３３】
記憶部１１４は、制御部１１３によって実行されるプログラムを記憶したり、プログラムの実行に必要なデータを記憶したりする記録媒体である。また、記憶部１１４は、制御部１１３による演算のためにデータを一時的に記憶する。記憶部１１４は、磁気記憶部デバイスであってもよいし、半導体記憶デバイスであってもよいし、光記憶デバイスであってもよいし、光磁気記憶デバイスであってもよい。
【００３４】
表示部１１５は、各種の情報を出力する。本開示の実施形態においては、表示部１１５が、ユーザに視認可能な表示を行うことが可能なディスプレイを含み、ディスプレイが、ＬＥＤ（Ｌｉｇｈｔ  Ｅｍｉｔｔｉｎｇ  Ｄｉｏｄｅ）によって構成される場合を想定する。しかし、ディスプレイは、液晶ディスプレイであってもよいし、有機ＥＬ（Ｅｌｅｃｔｒｏ−Ｌｕｍｉｎｅｓｃｅｎｃｅ）ディスプレイであってもよい。また、コア部１１０は、表示部１１５の代わりに、または、表示部１１５とともに、音声出力装置を含んでもよいし、ユーザに触覚を提示する触覚提示装置を含んでもよい。
【００３５】
通信部１１６は、通信回路を含んで構成され、他の装置との間で通信を行う機能を有する。例えば、通信部１１６は、当該他の装置からのデータの取得および当該他の装置へのデータの提供を行う機能を有する。本開示の実施形態においては、通信部１１６が、Ｂｌｕｅｔｏｏｔｈ（登録商標）などによる近距離無線通信によって他の装置との間で通信を行うアンテナを含む場合を想定する。例えば、通信部１１６は、近距離無線通信によってコア部１１０（デバイス）を識別するためのＩＤ（以下、「コアＩＤ」とも言う。）をアンテナによって当該他の装置に送信する。
【００３６】
また、図５に示されるように、バンド部１６０は、ＩＣチップ１６１およびアンテナ１６２を有する。以下では、バンド部１６０が有するこれらのブロックについて説明する。
【００３７】
また、ＩＣチップ１６１は、処理装置およびメモリを有している。処理装置は、他の装置との間でアンテナ１６２による非接触無線通信を制御する。このとき、処理装置は、メモリによって記憶されているＩＣチップを識別するためのＩＤ（以下、「カードＩＤ」とも言う。）をアンテナ１６２に出力し、アンテナ１６２による当該他の装置へのカードＩＤの送信を制御する。
【００３８】
アンテナ１６２は、ＦｅｌｉＣａ（登録商標）などによる非接触無線通信によって他の装置との間で通信を行う。なお、アンテナ１６２による非接触無線通信の規格は、ＦｅｌｉＣａ（登録商標）に限定されない。例えば、アンテナ１６２は、ＩＣチップ１６１から出力されたカードＩＤを非接触無線通信によって当該他の装置に送信する。
【００３９】
以上、本開示の実施形態に係るユーザ端末１０の機能構成例について説明した。
【００４０】
［１．４．通信端末の機能構成例］
続いて、本開示の実施形態に係る通信端末２０の機能構成例について説明する。図６は、本開示の実施形態に係る通信端末２０の機能構成例を示す図である。図６に示されたように、本開示の実施形態に係る通信端末２０は、操作部２１０、制御部２２０、記憶部２３０、通信部２４０および出力部２５０を有している。
【００４１】
操作部２１０は、各種の入力装置を有しており、入力装置によってユーザから入力される操作を取得することが可能である。本開示の実施形態においては、通信端末２０がタッチパネルを有するタブレット端末である場合を想定する。すなわち、本開示の実施形態においては、操作部２１０が、入力装置としてタッチパネルを有する場合を主に想定する。しかし、入力装置の種類は、タッチパネルに限定されない。通信端末２０の種類もタブレット端末に限定されず、ノート型ＰＣ（Ｐｅｒｓｏｎａｌ  Ｃｏｍｐｕｔｅｒ）であってもよいし、スマートフォンであってもよい。
【００４２】
制御部２２０は、通信端末２０の各部の制御を実行する。なお、制御部２２０は、例えば、ＣＰＵ（Ｃｅｎｔｒａｌ  Ｐｒｏｃｅｓｓｉｎｇ  Ｕｎｉｔ；中央演算処理装置）などで構成されていてよい。制御部２２０がＣＰＵなどといった処理装置によって構成される場合、かかる処理装置は、電子回路によって構成されてよい。
【００４３】
記憶部２３０は、制御部２２０によって実行されるプログラムを記憶したり、プログラムの実行に必要なデータを記憶したりする記録媒体である。また、記憶部２３０は、制御部２２０による演算のためにデータを一時的に記憶する。記憶部２３０は、磁気記憶部デバイスであってもよいし、半導体記憶デバイスであってもよいし、光記憶デバイスであってもよいし、光磁気記憶デバイスであってもよい。
【００４４】
通信部２４０は、通信回路を含んで構成され、他の装置との間で通信を行う機能を有する。例えば、通信部２４０は、当該他の装置からのデータの取得および当該他の装置へのデータの提供を行う機能を有する。本開示の実施形態においては、通信部２４０が、ＦｅｌｉＣａ（登録商標）などによる非接触無線通信によって他の装置との間で通信を行うアンテナを有する場合を想定する。しかし、通信部２４０による非接触無線通信の規格は、ＦｅｌｉＣａ（登録商標）に限定されない。また、通信部２４０は、ネットワーク８０を介して他の装置との間で通信を行う通信インターフェースを有する。
【００４５】
出力部２５０は、各種の情報を出力する。本開示の実施形態においては、出力部２５０が、ユーザに視認可能な表示を行うことが可能なディスプレイを含み、ディスプレイが、ＬＥＤ（Ｌｉｇｈｔ  Ｅｍｉｔｔｉｎｇ  Ｄｉｏｄｅ）によって構成される場合を想定する。しかし、ディスプレイは、液晶ディスプレイであってもよいし、有機ＥＬ（Ｅｌｅｃｔｒｏ−Ｌｕｍｉｎｅｓｃｅｎｃｅ）ディスプレイであってもよい。あるいは、出力部２５０は、ディスプレイの代わりに、または、ディスプレイとともに、スピーカを含んでもよいし、ユーザに触覚を提示する触覚提示装置を含んでもよい。
【００４６】
以上、本開示の実施形態に係る通信端末２０の機能構成例について説明した。
【００４７】
［１．５．データ取得サーバの機能構成例］
続いて、本開示の実施形態に係るデータ取得サーバ３０の機能構成例について説明する。図７は、本開示の実施形態に係るデータ取得サーバ３０の機能構成例を示す図である。図７に示されたように、本開示の実施形態に係るデータ取得サーバ３０は、制御部３１０、記憶部３３０および通信部３４０を有している。
【００４８】
制御部３１０は、データ取得サーバ３０の各部の制御を実行する。なお、制御部３１０は、例えば、ＣＰＵ（Ｃｅｎｔｒａｌ  Ｐｒｏｃｅｓｓｉｎｇ  Ｕｎｉｔ；中央演算処理装置）などで構成されていてよい。制御部３１０がＣＰＵなどといった処理装置によって構成される場合、かかる処理装置は、電子回路によって構成されてよい。
【００４９】
記憶部３３０は、制御部３１０によって実行されるプログラムを記憶したり、プログラムの実行に必要なデータを記憶したりする記録媒体である。ここで、当該プログラムの実行に必要なデータの例について説明する。図８は、データ取得サーバ３０の記憶部３３０によって記憶されているデータの構成例を示す図である。図８に示されるように、記憶部３３０は、カードＩＤ、コアＩＤおよびユーザを識別するためのＩＤ（以下、「ユーザＩＤ」とも言う。）が関連付けられた情報を記憶している。
【００５０】
図７に戻って説明を続ける。記憶部３３０は、制御部３１０による演算のためにデータを一時的に記憶する。記憶部３３０は、磁気記憶部デバイスであってもよいし、半導体記憶デバイスであってもよいし、光記憶デバイスであってもよいし、光磁気記憶デバイスであってもよい。プログラムの実行に必要なデータの例を説明する。
【００５１】
通信部３４０は、通信回路を含んで構成され、他の装置との間で通信を行う機能を有する。例えば、通信部３４０は、当該他の装置からのデータの取得および当該他の装置へのデータの提供を行う機能を有する。通信部３４０は、ネットワーク８０を介して他の装置との間で通信を行う通信インターフェースを有する。
【００５２】
以上、本開示の実施形態に係るデータ取得サーバ３０の機能構成例について説明した。
【００５３】
［１．６．データ更新サーバの機能構成例］
続いて、本開示の実施形態に係るデータ更新サーバ４０の機能構成例について説明する。図９は、本開示の実施形態に係るデータ更新サーバ４０の機能構成例を示す図である。図９に示されたように、本開示の実施形態に係るデータ更新サーバ４０は、制御部４１０、記憶部４３０および通信部４４０を有している。
【００５４】
制御部４１０は、データ更新サーバ４０の各部の制御を実行する。なお、制御部４１０は、例えば、ＣＰＵ（Ｃｅｎｔｒａｌ  Ｐｒｏｃｅｓｓｉｎｇ  Ｕｎｉｔ；中央演算処理装置）などで構成されていてよい。制御部４１０がＣＰＵなどといった処理装置によって構成される場合、かかる処理装置は、電子回路によって構成されてよい。
【００５５】
記憶部４３０は、制御部４１０によって実行されるプログラムを記憶したり、プログラムの実行に必要なデータを記憶したりする記録媒体である。ここで、当該プログラムの実行に必要なデータの例について説明する。図１０は、データ更新サーバ４０の記憶部４３０によって記憶されているデータの構成例を示す図である。図１０に示されるように、記憶部４３０は、ユーザＩＤ、タグＩＤおよびユーザが有する電子マネーのポイント残高（以下、単に「ポイント残高」とも言う。）が関連付けられた情報を記憶している。
【００５６】
図１０に戻って説明を続ける。記憶部４３０は、制御部４１０による演算のためにデータを一時的に記憶する。記憶部４３０は、磁気記憶部デバイスであってもよいし、半導体記憶デバイスであってもよいし、光記憶デバイスであってもよいし、光磁気記憶デバイスであってもよい。
【００５７】
通信部４４０は、通信回路を含んで構成され、他の装置との間で通信を行う機能を有する。例えば、通信部４４０は、当該他の装置からのデータの取得および当該他の装置へのデータの提供を行う機能を有する。通信部４４０は、ネットワーク８０を介して他の装置との間で通信を行う通信インターフェースを有する。
【００５８】
以上、本開示の実施形態に係るデータ更新サーバ４０の機能構成例について説明した。
【００５９】
［１．７．情報処理システムの機能詳細］
続いて、本開示の実施形態に係る情報処理システム１の機能詳細について説明する。図１１および図１２は、本開示の実施形態に係る情報処理システム１による機能詳細を説明するための図である。なお、ここでは、ユーザが所定の施設の会員であり、通信端末２０が所定の施設に設置される端末である場合を想定する。ここで、所定の施設は特に限定されない。
【００６０】
上記したように、コア部１１０の記憶部１１４には、ユーザの活動情報が記録されている。例えば、図１１に示されたように、ユーザがコア部１１０とバンド部１６０とが結合された状態にあるユーザ端末１０のバンド部１６０を腕に装着して所定の施設を訪れた場合を想定する。
【００６１】
ユーザ端末１０がユーザによって通信端末２０に翳されると、アンテナ１６２は、ＩＣチップ１６１に記録されたカードＩＤを非接触無線通信により通信端末２０に送信する。通信端末２０において、通信部２４０は、非接触無線通信によりカードＩＤを受信する。これによって、ユーザ端末１０によるカードＩＤに基づく通信端末２０に対するログインが行われる（Ｓ１１）。なお、本開示の実施形態においては、１台のユーザ端末１０だけではなく、複数台のユーザ端末１０が同時に通信端末２０に対してログインすることが可能である場合を想定する。
【００６２】
一方、コア部１１０において、通信部１１６は、記憶部１１４に記録されているユーザの活動情報およびコアＩＤを、近距離無線通信により通信端末２０に送信する（Ｓ１２）。通信端末２０において、通信部２４０は、近距離無線通信により活動情報およびコアＩＤを受信する。さらに、通信部２４０は、ネットワーク８０を介してデータ取得サーバ３０に、活動情報、カードＩＤおよびコアＩＤを送信する（Ｓ１３）。
【００６３】
データ取得サーバ３０においては、通信部３４０が、通信端末２０から活動情報、カードＩＤおよびコアＩＤを受信し、取得部３１１が活動情報、カードＩＤおよびコアＩＤを取得する。取得部３１１は、カードＩＤおよびコアＩＤに対応するユーザＩＤを記憶部３３０から取得する。そして、解析部３１２は、活動情報を解析することによって活動情報の解析結果を得る。例えば、解析結果は、活動情報を所定の演算式に与えることによって得られてもよい。演算式は、あらかじめ用意されていてもよいし、機械学習の結果に基づいて更新されてもよい。
【００６４】
本実施形態においては、データ取得サーバ３０の解析部３１２が、活動情報を解析することによって解析結果としてユーザの現在の健康状態を得る場合を主に想定する。健康状態は、ユーザがどの程度健康であるかを数値で示す健康スコアなどであってもよい。しかし、解析部３１２は、活動情報を解析することによってユーザの予測される未来の健康状態を得てもよい。かかる場合には、現在の健康状態の代わりに、未来の健康状態が利用されればよい。例えば、活動情報と健康状態との時間変化に対して機械学習が行われれば、機械学習の結果に基づいて、未来の健康状態がより精度良く予測されるようになる。
【００６５】
あるいは、解析部３１２は、活動情報を解析しなくてもよい。かかる場合には、取得部３１１によって取得された活動情報そのものが健康状態の代わりに利用されればよい。このとき、データ取得サーバ３０は解析部３１２を有していなくてよい。通信部３４０は、ユーザＩＤおよび解析部３１２によって得られた健康状態をデータ更新サーバ４０に送信する（Ｓ１４）。
【００６６】
データ更新サーバ４０においては、通信部４４０が、データ取得サーバ３０からユーザＩＤおよび健康状態を受信する。決定部４１１は、通信部４４０によって受信された健康状態に基づいてユーザに提供されるインセンティブを決定する。そして、提供部４１２は、ユーザへのインセンティブを提供する。
【００６７】
本開示の実施形態においては、決定部４１１が、インセンティブとしてユーザに提供される報酬値を決定する場合を主に想定する。そして、提供部４１２は、報酬値に基づいてユーザが有する残高を更新することによってインセンティブを提供する場合を主に想定する。報酬値に基づいて残高が更新されれば（例えば、報酬値が残高に加算されれば）、ユーザが報酬値を利用して商品またはサービスの提供を受けることができるため、ユーザの活動を続けようという意識を高めることが可能となる。
【００６８】
また、本開示の実施形態においては、報酬値が電子マネーのポイントである場合を主に想定する。すなわち、電子マネーのポイントに基づいてユーザのポイント残高が更新される場合（例えば、電子マネーのポイントがユーザのポイント残高に加算される場合）を主に想定する（Ｓ１５）。しかし、報酬値は、現金金額であってもよい。すなわち、現金金額に基づいてユーザの口座残高が更新されてもよい（例えば、現金金額がユーザの口座残高に加算されてもよい）。
【００６９】
あるいは、決定部４１１は、インセンティブとしてユーザに提供される商品の種類またはサービスの種類を決定してもよい。そして、提供部４１２は、商品の種類またはサービスの種類とユーザ（ユーザＩＤ）とを関連付けることによってインセンティブを提供してもよい。商品の種類またはサービスの種類とユーザ（ユーザＩＤ）との関連付けが行われれば、ユーザは関連付けを利用して商品またはサービスの提供を受けることができるため、ユーザの活動を続けようという意識を高めることが可能となる。
【００７０】
商品の種類またはサービスの種類とユーザ（ユーザＩＤ）との関連付けはどのように利用されてもよい。例えば、提供部４１２によって、当該関連付けに基づいて、ユーザの図示しないコンピュータに商品またはサービスのクーポン券が送信されてもよい。あるいは、提供部４１２によって、当該関連付けに基づいて、商品またはサービスの紙のクーポン券の印刷が実行されてもよい。そして、紙のクーポン券がユーザの住所宛てに郵送されてもよい。かかる場合には、ユーザはクーポン券を利用して商品またはサービスの提供を受けることができる。
【００７１】
あるいは、提供部４１２によって、商品またはサービスの提供者の端末に、商品の種類またはサービスの種類とユーザＩＤとが関連付けられた情報が送信されてもよい。かかる場合には、提供者の端末において、商品の種類またはサービスの種類とユーザＩＤとが関連付けられた情報を受信することができる。そして、提供者は、提供者の端末が受信した商品の種類またはサービスの種類とユーザＩＤとが関連付けられた情報を確認することによって、当該ユーザＩＤによって識別されるユーザに対して当該ユーザＩＤに関連付けられている種類の商品またはサービスを提供することができる。
【００７２】
インセンティブの決定の手法は特に限定されない。例えば、決定部４１１は、健康状態が閾値を超える場合に、インセンティブを決定してもよく、健康状態が閾値以下である場合に、インセンティブを決定しなくてもよい。例えば、決定部４１１は、健康状態が正常範囲に属している場合に、インセンティブを決定してもよく、健康状態が正常範囲に属していない場合に、インセンティブを決定しなくてもよい。このとき、インセンティブはあらかじめ決められていてよい。
【００７３】
あるいは、決定部４１１は、健康状態の段階ごとに異なるインセンティブを決定してもよい。例えば、決定部４１１は、健康状態の属する段階が望ましいほどインセンティブが高くなるようにインセンティブを決定してもよい。段階とインセンティブとは、あらかじめ対応付けられていてよい。また、健康状態の代わりに、活動状態そのものが利用される場合も、同様にインセンティブが決められてよい。例えば、ユーザの歩数が閾値を超えた場合に、インセンティブが決定されてもよいし、ユーザの歩数がある段階に属する場合に、当該段階に対応するインセンティブが決定されてもよい。
【００７４】
以上のようにして、ユーザに対して健康状態に応じたインセンティブが提供され、ポイント残高が更新されると、ユーザは、更新後のポイント残高からより多くのポイントを利用することが可能となる。続いて、ユーザが更新後のポイント残高からポイントを利用する場合について説明する。
【００７５】
図１２は、ユーザが更新後のポイント残高からポイントを利用する場合について説明するための図である。図１２に示された例では、ユーザがコア部１１０とバンド部１６０とが結合された状態にあるユーザ端末１０のバンド部１６０を腕に装着して、ポイントを利用可能な店舗に訪れた場合を想定する。しかし、ユーザは、バンド部１６０だけを腕に装着して、店舗を訪れてもよい。なお、ユーザは、店舗以外の場所においてポイントが利用可能であってもよい。
【００７６】
例えば、ユーザが店舗において商品またはサービスの提供を受け（または、ユーザが店舗において商品またはサービスを注文し）、ＰＯＳ端末６０に、商品またはサービスの提供に対する支払い額が入力されると、カード読み取り装置７０にバンド部１６０を翳す。これによって、バンド部１６０において、ＩＣチップ１６１に記録されたタグＩＤがアンテナ１６２によって非接触無線通信により送信される（Ｓ２１）。カード読み取り装置７０は、バンド部１６０からタグＩＤを受信する。
【００７７】
カード読み取り装置７０からＰＯＳ端末６０にタグＩＤが出力されると、ＰＯＳ端末６０は、支払い額に対応するポイントをポイント残高の更新用データとし、当該ポイント残高の更新用データとタグＩＤとを、ネットワーク８０を介してデータ更新サーバ４０に送信する（Ｓ２２）。データ更新サーバ４０においては、通信部４４０によってポイント残高の更新用データとタグＩＤとが受信される。
【００７８】
出力制御部４１３は、記憶部４３０によってタグＩＤに関連付けられたポイント残高を、ポイント残高の更新用データに基づいて更新する（例えば、タグＩＤに対応するポイント残高からポイント残高の更新用データを減算する）。これによって、ユーザはポイントを利用して商品またはサービスの提供を受けることができる。また、ユーザはポイントを利用して商品またはサービスの提供を受けることによって、活動を継続しようという意識をより高めることが可能となる。なお、図１１および図１２には示されていないが、情報処理システム１は、データ更新サーバ４０とは別に電子マネーサーバを有していてもよい。かかる場合、Ｓ２２においては、ＰＯＳ端末６０によって電子マネーサーバに直接アクセスされてよい。
【００７９】
以上、本開示の実施形態に係る情報処理システム１の機能詳細について説明した。
【００８０】
＜２．むすび＞
以上説明したように、本開示の実施形態によれば、ユーザの活動情報または活動情報の解析結果に基づいてユーザに提供されるインセンティブを決定する決定部４１１と、ユーザにインセンティブを提供する提供部４１２と、を備える、データ更新サーバ４０（情報処理装置）が提供される。かかる構成によれば、ユーザには、活動することに対するインセンティブが提供されるため、ユーザの活動を継続しようという意識を高めることが可能となる。
【００８１】
また、上記のように、コア部１１０とバンド部１６０とは、結合された状態をとり得る。バンド部１６０は、ポイント残高などを利用して商品またはサービスの提供を受けるために（商品またはサービスの購入をするために）利用され得る。したがって、ユーザは、商品またはサービスの提供を受けるために、コア部１１０とバンド部１６０とが結合された状態でバンド部１６０を腕に装着すれば、自ずとコア部１１０も持ち運ぶこととなり、コア部１１０によって活動情報が取得されやすくなるという利点が享受される。
【００８２】
さらに、コア部１１０とバンド部１６０とは、別体に構成されている。これによって、ポイント残高などを利用する処理が、バンド部１６０とデータ更新サーバ４０との連携によって実現され得る。すなわち、ポイント残高などを利用する処理にコア部１１０は関わらずに済む。これによって、コア部１１０の電池が切れたとしても、ポイント残高を利用する処理（電子マネー）がバンド部１６０によって実行され得る。また、コア部１１０の電池が切れたとしても、バンド部１６０を会員証として利用することが可能である。
【００８３】
また、スマートフォンの電子マネーを利用する場合などには、電子マネーの設定作業が必要となる。一方、本開示の実施形態に係るユーザ端末１０の電子マネーを利用する場合には、電子マネーの設定作業は特に行わなくてよい。したがって、本開示の実施形態によれば、電子マネーの設定作業が行われなくても、電子マネーが利用され得るため、子供や高齢者などによっても電子マネーが利用されやすいユーザ端末１０が実現され得る。
【００８４】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８５】
例えば、上記では、ユーザの活動情報に基づいてユーザにインセンティブが提供される場合（例えば、ポイント残高が更新される場合）を主に説明した。しかし、活動情報以外の情報に基づいて、ユーザにインセンティブが提供されてもよい。例えば、ユーザがユーザ端末１０を通信端末２０に翳し、ユーザ端末１０がイベントにチェックインした場合、ユーザにインセンティブが提供されてもよい。あるいは、ユーザ端末１０によって所定のアプリケーションが利用された場合に、ユーザにインセンティブが提供されてもよい。
【００８６】
あるいは、ユーザ端末１０が発信するビーコンに基づいてユーザ端末１０の位置情報が検出可能である場合も想定される。かかる場合には、ユーザ端末１０の位置情報が所定の場所に移動した場合にユーザにインセンティブが提供されてもよい。一例として、ユーザが自宅を出ることが健康維持につながり得る。そこで、ユーザ端末１０の位置情報とユーザの自宅の位置情報とに基づいて、ユーザ端末１０が自宅の外に移動したと判断される場合に、ユーザにインセンティブが提供されてもよい。
【００８７】
また、上記したサーバ５０の動作が実現されれば、データ取得サーバ３０とデータ更新サーバ４０との機能分担は特に限定されない。具体的な例として、上記では、ユーザの健康状態が閾値を超えるか否かを、データ更新サーバ４０が判断する場合を主に説明した。しかし、ユーザの健康状態が閾値を超えるか否かを、データ取得サーバ３０が判断してもよい。かかる場合には、データ取得サーバ３０においてユーザの健康状態が閾値を超えると判断された場合に、データ取得サーバ３０からデータ更新サーバ４０にインセンティブ提供要求とユーザＩＤとが送信されてもよい。
【００８８】
また、上記では、カードＩＤおよびコアＩＤに対応するユーザＩＤがデータ取得サーバ３０からデータ更新サーバ４０に送信されると、データ更新サーバ４０において、ユーザＩＤに対応するタグＩＤが取得される場合を主に説明した。しかし、データ取得サーバ３０が、カードＩＤおよびコアＩＤおよびタグＩＤが関連付けられた情報を記憶していてもよい。かかる場合には、カードＩＤおよびコアＩＤに対応するタグＩＤが、データ取得サーバ３０からデータ更新サーバ４０に直接送信されてもよい。
【００８９】
また、上記では、データ更新サーバ４０がポイント残高を記憶している場合を主に説明した。しかし、ポイント残高は、データ更新サーバ４０とは異なる装置によって記憶されていてもよい。例えば、ポイント残高は、ユーザ端末１０のバンド部１６０のＩＣチップ１６１によって記憶されていてもよい。すなわち、データ更新サーバ４０によってインセンティブが決定された場合、インセンティブとして決定されたポイントに基づいて、ＩＣチップ１６１に記録されているポイント残高が更新されてもよい。
【００９０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００９１】
なお、以下のような構成も本開示の技術的範囲に属する。
（１）
ユーザの活動情報または前記活動情報の解析結果に基づいて前記ユーザに提供されるインセンティブを決定する決定部と、
前記ユーザに前記インセンティブを提供する提供部と、
を備える、情報処理装置。
（２）
前記決定部は、前記インセンティブとして前記ユーザに提供される報酬値を決定する、
前記（１）に記載の情報処理装置。
（３）
前記報酬値は、電子マネーのポイントである、
前記（２）に記載の情報処理装置。
（４）
前記報酬値は、現金金額である、
前記（２）に記載の情報処理装置。
（５）
前記提供部は、前記報酬値に基づいて前記ユーザが有する残高を更新することによって前記インセンティブを提供する、
前記（２）〜（４）のいずれか一項に記載の情報処理装置。
（６）
前記決定部は、前記インセンティブとして前記ユーザに提供される商品の種類またはサービスの種類を決定する、
前記（１）に記載の情報処理装置。
（７）
前記提供部は、前記商品の種類または前記サービスの種類と前記ユーザとを関連付けることによって前記インセンティブを提供する、
前記（６）に記載の情報処理装置。
（８）
前記解析結果は、現在の健康状態または前記活動情報から予測される未来の健康状態である、
前記（１）〜（７）のいずれか一項に記載の情報処理装置。
（９）
前記決定部は、前記活動情報または前記解析結果が閾値を超える場合に、前記インセンティブを決定する、
前記（１）〜（８）のいずれか一項に記載の情報処理装置。
（１０）
前記活動情報は、ユーザの歩数、睡眠時間および食事時間の少なくともいずれか一つを含む、
前記（１）〜（９）のいずれか一項に記載の情報処理装置。
（１１）
ユーザの活動情報を取得する取得部と、
前記活動情報を解析することによって解析結果を得る解析部と、を備え、
前記解析結果に基づいて、前記ユーザに提供されるインセンティブが決定され、前記ユーザに前記インセンティブが提供される、
解析装置。
（１２）
ユーザの活動情報を計測するユーザ端末と、
ユーザの活動情報を取得する取得部と、
前記活動情報を解析することによって解析結果を得る解析部と、
前記活動情報または前記解析結果に基づいて前記ユーザに提供されるインセンティブを決定する決定部と、
前記ユーザに前記インセンティブを提供する提供部と、
を備える、サーバと、
を有する、情報処理システム。
【符号の説明】
【００９２】
１      情報処理システム
１０    ユーザ端末
１１０  コア部
１１１  センサ部
１１２  操作部
１１３  制御部
１１４  記憶部
１１５  表示部
１１６  通信部
１６０  バンド部
１６１  ＩＣチップ
１６２  アンテナ
２０    通信端末
２１０  操作部
２２０  制御部
２３０  記憶部
２４０  通信部
２５０  出力部
３０    データ取得サーバ（解析装置）
３１０  制御部
３１１  取得部
３１２  解析部
３３０  記憶部
３４０  通信部
４０    データ更新サーバ（情報処理装置）
４１０  制御部
４１１  決定部
４１２  提供部
４１３  出力制御部
４３０  記憶部
４４０  通信部
５０    サーバ
６０    ＰＯＳ端末
７０  カード読み取り装置
８０    ネットワーク
【図１】
2019171651.tif 000003
【図２】
2019171651.tif 000004
【図３】
2019171651.tif 000005
【図４】
2019171651.tif 000006
【図５】
2019171651.tif 000007
【図６】
2019171651.tif 000008
【図７】
2019171651.tif 000009
【図８】
2019171651.tif 000010
【図９】
2019171651.tif 000011
【図１０】
2019171651.tif 000012
【図１１】
2019171651.tif 000013
【図１２】
2019171651.tif 000014
【国際調査報告】
2019171651.tif 000015
2019171651.tif 000016